(57)【要約】      （修正有）【課題】相互に結合可能な内カバーと上カバーの周囲の対応位置に、異なる位置及び方向のスリットを設置し、それぞれ内或いは外側折縁端部により遮蔽されるようにし、ほぼ完全に隙間のない電磁波シールドケースとなし、電磁波相互干渉を隔離できるようにした電磁波シールドケースの提供。【解決手段】内カバーと上カバーの二つの部分を具え、両者の周囲に垂直に折り曲げられた端部折縁と側部折縁が設けられて回路の周囲を被覆し、且つ内カバーと上カバーの一方の端部折縁の端部に端部スリットが設けられ、もう一方の側部折縁の端部に側部スリットが設けられ、上カバーが内カバーの上方外側に結合され、一方の端部折縁と側部折縁がもう一方の端部スリットと側部スリットを遮蔽し、異なる位置のスリットが内側或いは外側の対応する折縁端部により遮蔽されて、ほぼ完全に隙間のない電磁波シールドケースを形成し、有効の電磁波干渉を隔離する。【選択図】図３
0003105265.tif 000002
【実用新案登録請求の範囲】
【請求項１】
電磁波シールドケースにおいて、該電磁波シールドケースは内カバーと上カバーを具え、
該内カバーは全体の周囲に相互に離間するように端部折縁と側部折縁が形成されて所定の基板上の回路或いは装置の周囲を被覆し、これら端部折縁の角部に近い端部に内に凹むか或いは切欠かれた端部スリットが形成され、且つ内カバーの側部折縁端部にあってこれら端部スリットの傍らに対応する位置に延長された側部ブロック部が形成され、
該上カバーは、前述の内カバーと相似でサイズが内カバーより大きい形状とされ、内カバーの外部を被覆して強固に結合され、その周囲に方向により分断され前述の内カバーに対応する端部折縁と側部折縁が形成され、各側部折縁の端部に内向きに凹むか或いは切欠かれた側部スリットが設けられ、該上カバーの端部折縁の端部にあって該側部スリットの傍らに対応する位置に延長された端部ブロック部が形成され、
上カバーが内カバーの上方外側に嵌合される時、上カバーの各折縁が内カバーの折縁の外側を被覆し、並びに各端部ブロック部が対応する端部スリットを被覆し、各側部ブロック部が対応する側部スリットを被覆し、異なる位置及び方向のブロック部により各スロットが遮蔽されてほぼ完全に隙間無く形成されたことを特徴とする、電磁波シールドケース。
【請求項２】
請求項１記載の電磁波シールドケースにおいて、内カバーと上カバーの間が内外の対応し嵌合する係止機構により簡易係合位置決めされることを特徴とする、電磁波シールドケース。
【請求項３】
請求項２記載の電磁波シールドケースにおいて、係止機構が対応設置された凸点と穿孔で構成されたことを特徴とする、電磁波シールドケース。
【請求項４】
請求項２記載の電磁波シールドケースにおいて、係止機構が対応設置された凸点と凹孔で構成されたことを特徴とする、電磁波シールドケース。
【考案の詳細な説明】
【技術分野】
【０００１】
本考案は電磁波シールドケースに係り、特に上カバーと内カバーが結合してなるシールドケースを指し、上カバーと内カバーが結合する時、一方がもう一方の角部のスリットを遮蔽し、電磁波の漏洩を有効に防止する、電磁波シールドケースに関する。
【背景技術】
【０００２】
電子製品の機能及び感度は不断に向上し、電磁干渉（ＥＭＩ）の防止に対する要求もますます厳格となっている。通常、電子製品中の電磁波発射或いは受信部分の回路はいずれもシールド機能を具えた金属ケースで遮蔽され、その発射する電磁波が外部に対して干渉したり、或いは外界の電磁波雑音が正常な動作に干渉するのを防止している。
【０００３】
上述の周知の電磁波シールドケースは、図１、２に示されるようであり、周囲の折縁３１を具えた内カバー３が回路上の所定の回路の周囲を被覆し、並びに接地し、該折縁３１の外表面に複数の係止機構３１１、例えば穿孔或いは凹孔が設けられている。このほか、更に上カバー４が設けられ、該上カバー４は形状が上カバー３と相似であり且つやや大きい片状体とされ、その周囲にも相互に接近する折縁４１が設けられ、且つ折縁４１の内表面に内カバー３に対応する係止機構４１１、例えば凸点が設けられている。上カバー４が内カバー３の上に嵌合される時、これら対応する係止機構３１１、４１１が相互に嵌合して位置決めを形成し、上カバー４と内カバー３の間が簡単に係止結合され、上述の所定の回路の周囲に用いられて電磁波シールドを形成する。
【０００４】
上述の折縁の加工の実行性と便利性のために、該折縁３１、４１を曲げ加工する時は、内カバー３或いは上カバー４の形状により、少なくとも角部の周囲を切削し、全体を複数の不連続の辺縁となすことが多い。これにより各二つの異なる方向の折縁３１、４１の間にあって、角部にスリット３２、４２が形成される。特に内カバー３と上カバー４の形状が同じである時は、これらスリット３２、４２の位置もまたほとんどが同じとなる。このため、上カバー４を内カバー３に嵌合する時、これらスリット３２、４２が重畳して間隙を形成し、この間隙が使用中に電磁波漏洩を形成し、内外電子装置間干渉の主要な原因となる。
【考案の開示】
【考案が解決しようとする課題】
【０００５】
本考案は一種の電磁波シールドケースを提供することを課題とし、それは、相互に結合可能な内カバーと上カバーの周囲の対応位置に、異なる位置及び方向のスリットを設置し、それぞれ内或いは外側折縁端部により遮蔽されるようにし、ほぼ完全に隙間のない電磁波シールドケースとなし、電磁波相互干渉を隔離できるようにしたものとする。
【課題を解決するための手段】
【０００６】
請求項１の考案は、電磁波シールドケースにおいて、該電磁波シールドケースは内カバーと上カバーを具え、
該内カバーは全体の周囲に相互に離間するように端部折縁と側部折縁が形成されて所定の基板上の回路或いは装置の周囲を被覆し、これら端部折縁の角部に近い端部に内に凹むか或いは切欠かれた端部スリットが形成され、且つ内カバーの側部折縁端部にあってこれら端部スリットの傍らに対応する位置に延長された側部ブロック部が形成され、
該上カバーは、前述の内カバーと相似でサイズが内カバーより大きい形状とされ、内カバーの外部を被覆して強固に結合され、その周囲に方向により分断され前述の内カバーに対応する端部折縁と側部折縁が形成され、各側部折縁の端部に内向きに凹むか或いは切欠かれた側部スリットが設けられ、該上カバーの端部折縁の端部にあって該側部スリットの傍らに対応する位置に延長された端部ブロック部が形成され、
上カバーが内カバーの上方外側に嵌合される時、上カバーの各折縁が内カバーの折縁の外側を被覆し、並びに各端部ブロック部が対応する端部スリットを被覆し、各側部ブロック部が対応する側部スリットを被覆し、異なる位置及び方向のブロック部により各スロットが遮蔽されてほぼ完全に隙間無く形成されたことを特徴とする、電磁波シールドケースとしている。
請求項２の考案は、請求項１記載の電磁波シールドケースにおいて、内カバーと上カバーの間が内外の対応し嵌合する係止機構により簡易係合位置決めされることを特徴とする、電磁波シールドケースとしている。
請求項３の考案は、請求項２記載の電磁波シールドケースにおいて、係止機構が対応設置された凸点と穿孔で構成されたことを特徴とする、電磁波シールドケースとしている。
請求項４の考案は、請求項２記載の電磁波シールドケースにおいて、係止機構が対応設置された凸点と凹孔で構成されたことを特徴とする、電磁波シールドケースとしている。
【考案の効果】
【０００７】
本考案の電磁波シールドケースは、構造が簡単で且つ有効な電磁波漏洩防止の機能を具え、産業上の利用性、新規性及び進歩性を具備している。
【考案を実施するための最良の形態】
【０００８】
図３は本考案の構造分解図であり、符号２０及び符号１０部分の拡大図と共に示されている。図示されるように、本考案は、内カバー１と内カバー１と相似の形状で内カバー１より大きい上カバー２の二つの部分を具えている。そのうち、内カバー１の全体の周囲に方向ごとに分断され、且つ相互に離間した端部折縁１１と側部折縁１２が形成され、所定の回路の周囲を被覆するのに供され、且つ該端部折縁１１及び側部折縁１２の外表面に複数の係止機構１１１、１２１、例えば穿孔或いは凹孔が形成され、且つ内カバー１の二つの端部折縁１１の端部に内向きに凹んだ或いは切欠かれた端部スリット１１２が設けられ、該側部折縁１２の該端部スリット１１２に対応する端部に、延長された側部ブロック部１２２が形成されている。且つ上カバー２の周囲も、方向ごとに分断され、且つ相互に離間した端部折縁２１と側部折縁２２が形成され、該端部折縁２１及び側部折縁２２の内表面に、内カバー１の係止機構１１１、１２１に対応する係止機構２１１、２２１、例えば凸点が形成されて、両者間が簡単に相互に嵌合し位置決め可能とされている。さらに、上カバー２の側部折縁２２の端部に内に凹むか或いは切欠かれた側部スリット２２２が形成され、二つの端部折縁２１の端部の該側部スリット２２２の傍らの位置に、延長された端部ブロック部２１２が形成されている。
【０００９】
図５は本考案の立体組合せ図、図４は図５中、符号２０１部分の拡大図である。図６は本考案の組合せ後の各折縁関係位置を示す断面平面図である。これらの図に示されるように、上カバー２が内カバー１の上に嵌合され位置決めされた後、その端部折縁２１は内カバー１の端部折縁１１の外側を被覆し、並びに上カバー２の端部ブロック部２１２が内カバー１の端部スリット１１２を被覆し、また側部折縁２２は内カバー１の側部折縁１２外側を被覆し、並びに上カバー２の側部スリット２２２が内カバー１の側部ブロック部１２２により内側から遮蔽される。これにより、上述の異なる位置及び方向に形成された角部のスリットがそれぞれ対応する折縁ブロック部により遮蔽され、ほぼ完全に隙間のない電磁波シールドケースが形成され、有効に内外の電磁波相互干渉を防止することができる。且つ、各ブロック部と対応するスリットの間に緊密で且つ相互に異なる方向の係合作用が形成され、これにより更に上カバーと内カバーの間の良好な係合効果が提供され、安定性が高められている。
【００１０】
以上の実施例は本考案の請求範囲を限定するものではなく、本考案に基づきなし得る細部の修飾或いは改変は、いずれも本考案の請求範囲に属するものとする。
【図面の簡単な説明】
【００１１】
【図１】周知の電磁波シールドケースの立体分解図である。
【図２】周知の電磁波シールドケースの立体組合せ図である。
【図３】本考案の構造分解図であり、符号２０部分の拡大図（Ａ部分）及び符号１０部分の拡大図（Ｂ部分）と共に示されている。
【図４】図５中の符号２０１部分の拡大図である。
【図５】本考案の立体組合せ図である。
【図６】本考案の組合せ後の各折縁関係位置を示す断面平面図である。
【符号の説明】
【００１２】
１、３  内カバー
１１、２１  端部折縁
１１１、１２１、２１１、２２１、３１１、４１１  係止機構
１１２  端部スリット
１２、２２  側部折縁
１２２  側部ブロック部
２、４  上カバー
２１２  端部ブロック部
２２２  側部スリット
３１、４１  折縁
３２、４２  スリット
【図１】
0003105265.tif 000003
【図２】
0003105265.tif 000004
【図３】
0003105265.tif 000005
【図４】
0003105265.tif 000006
【図５】
0003105265.tif 000007
【図６】
0003105265.tif 000008
【手続補正書】
【提出日】平成16年5月26日(2004.5.26)
【手続補正１】
【補正対象書類名】明細書
【補正対象項目名】０００８
【補正方法】変更
【補正の内容】
【０００８】
図３は本考案の構造分解図であり、図４は図３中、符号２０部分の拡大図である。図５は図３中、符号１０部分の拡大図である。図示されるように、本考案は、内カバー１と内カバー１と相似の形状で内カバー１より大きい上カバー２の二つの部分を具えている。そのうち、内カバー１の全体の周囲に方向ごとに分断され、且つ相互に離間した端部折縁１１と側部折縁１２が形成され、所定の回路の周囲を被覆するのに供され、且つ該端部折縁１１及び側部折縁１２の外表面に複数の係止機構１１１、１２１、例えば穿孔或いは凹孔が形成され、且つ内カバー１の二つの端部折縁１１の端部に内向きに凹んだ或いは切欠かれた端部スリット１１２が設けられ、該側部折縁１２の該端部スリット１１２に対応する端部に、延長された側部ブロック部１２２が形成されている。且つ上カバー２の周囲も、方向ごとに分断され、且つ相互に離間した端部折縁２１と側部折縁２２が形成され、該端部折縁２１及び側部折縁２２の内表面に、内カバー１の係止機構１１１、１２１に対応する係止機構２１１、２２１、例えば凸点が形成されて、両者間が簡単に相互に嵌合し位置決め可能とされている。さらに、上カバー２の側部折縁２２の端部に内に凹むか或いは切欠かれた側部スリット２２２が形成され、二つの端部折縁２１の端部の該側部スリット２２２の傍らの位置に、延長された端部ブロック部２１２が形成されている。
【手続補正２】
【補正対象書類名】明細書
【補正対象項目名】０００９
【補正方法】変更
【補正の内容】
【０００９】
図６は本考案の立体組合せ図、図７は図６中、符号２０１部分の拡大図である。図８は本考案の組合せ後の各折縁関係位置を示す断面平面図である。これらの図に示されるように、上カバー２が内カバー１の上に嵌合され位置決めされた後、その端部折縁２１は内カバー１の端部折縁１１の外側を被覆し、並びに上カバー２の端部ブロック部２１２が内カバー１の端部スリット１１２を被覆し、また側部折縁２２は内カバー１の側部折縁１２外側を被覆し、並びに上カバー２の側部スリット２２２が内カバー１の側部ブロック部１２２により内側から遮蔽される。これにより、上述の異なる位置及び方向に形成された角部のスリットがそれぞれ対応する折縁ブロック部により遮蔽され、ほぼ完全に隙間のない電磁波シールドケースが形成され、有効に内外の電磁波相互干渉を防止することができる。且つ、各ブロック部と対応するスリットの間に緊密で且つ相互に異なる方向の係合作用が形成され、これにより更に上カバーと内カバーの間の良好な係合効果が提供され、安定性が高められている。
【手続補正３】
【補正対象書類名】明細書
【補正対象項目名】００１１
【補正方法】変更
【補正の内容】
【００１１】
【図１】周知の電磁波シールドケースの立体分解図である。
【図２】周知の電磁波シールドケースの立体組合せ図である。
【図３】本考案の構造分解図である。
【図４】図３中の符号２０部分の拡大図である。
【図５】図３中の符号１０部分の拡大図である。
【図６】本考案の立体組合せ図である。
【図７】図６中の符号２０１部分の拡大図である。
【図８】本考案の組合せ後の各折縁関係位置を示す断面平面図である。
【手続補正４】
【補正対象書類名】図面
【補正対象項目名】全図
【補正方法】変更
【補正の内容】
【図１】
0003105265.tif 000009
【図２】
0003105265.tif 000010
【図３】
0003105265.tif 000011
【図４】
0003105265.tif 000012
【図５】
0003105265.tif 000013
【図６】
0003105265.tif 000014
【図７】
0003105265.tif 000015
【図８】
0003105265.tif 000016